(57)【特許請求の範囲】
【請求項１】
コントローラーを含むディスプレイであって、
ａ）１つの基板と、
ｂ）前記基板のエリアより小さな前記基板上の表示エリアと、
ｃ）前記表示エリア内の前記基板上に形成され、第１の方向に沿って互いに分離された、隣接する第１及び第２の非オーバラップピクセルグループと、
ｄ）前記第１と前記第２のピクセルグループとの間に位置し、第１の方向に第１の寸法を有する、第１のガターと、
を備え、
各ピクセルグループは、複数のピクセルを含み、各ピクセルは、３つ以上の異なって着色された、光を放出するサブピクセルを有し、
前記各ピクセルグループ内の前記ピクセルは、前記第１の方向に沿うとともに前記第１の方向に直交する第２の方向に沿って延長された規則的な配列で配置され、
第１の距離は、前記第１の方向に沿っていずれか１つのピクセルグループの隣接したピクセルを分離する距離であり、
前記第１の距離は、前記第１の寸法より小さく、
前記第１及び第２のピクセルグループの各サブピクセルは、前記ガター内に配列された１つ又は複数の電気要素に接続され、
前記コントローラーは、入力画像信号を受信し、前記第１のガターに隣接した全てのピクセルの輝度を、前記第１のガターと隣接していない全てのピクセルの輝度と比較して、増大させ、
前記コントローラーは、前記第１の方向において前記ガターの第１の寸法と前記第１の距離との差を補償するように前記入力画像信号を処理する補間回路部を含み、
前記補間回路部は、ピクセルグループにわたって表示されるラインの直線性を改善するように、前記入力画像信号に対して前記ガターからの空間的場所に対応して重み付けを行う、ディスプレイ。
【請求項２】
各電気要素は、前記第１の方向にそれぞれの要素寸法を有し、前記ガター寸法は、前記要素寸法のいずれよりも大きい、請求項１に記載のディスプレイ。
【請求項３】
各ピクセルグループは、前記第１の方向に配列された３つ以上のサブピクセルを含む、請求項１に記載のディスプレイ。
【請求項４】
ピクセルグループ内のサブピクセルは、前記第１の方向に寸法を有し、前記ガター寸法は、前記第１の方向において前記サブピクセルの寸法以下である、請求項１に記載のディスプレイ。
【請求項５】
前記表示エリアは、前記第１のピクセルグループに隣接し、前記第２の方向に沿って前記第１のピクセルグループと分離した、第３の非オーバラップピクセルグループをさらに含み、第２のガターが、前記第１のピクセルグループと前記第３のピクセルグループとの間に位置し、前記第２の方向において第２の寸法を有し、
第２の距離は、前記第２の方向に沿っていずれか１つのピクセルグループの隣接したピクセルを分離する距離であり、
前記第２の距離は、前記第２の寸法より小さく、
前記コントローラーは、入力画像信号を受信し、前記第２のガターに隣接した全てのピクセルの輝度を、前記第２のガターと隣接していない全てのピクセルの輝度と比較して、増大させる、請求項１に記載のディスプレイ。
【請求項６】
各ピクセルは、４つのサブピクセルの反復配置構成を含み、各サブピクセルは、異なる色の光を放出し、各ピクセルは、前記第１の方向に、対応する異なる色の光を放出する少なくとも２つのサブピクセルを含み、各ピクセルグループは、前記第１の方向に複数のピクセルを含む、請求項１に記載のディスプレイ。
【請求項７】
前記ガター内に配列された前記１つ又は複数の電気要素は、複数のサブピクセルに電気的に接続されて、光を放出するように前記複数のサブピクセルを駆動するチップレットを含む、請求項１に記載のディスプレイ。
【請求項８】
前記チップレットは、前記第１の方向の第１のチップレット寸法及び前記第２の方向の第２のチップレット寸法を有し、前記第１のチップレット寸法は前記第２のチップレット寸法より小さい、請求項７に記載のディスプレイ。
【請求項９】
前記ガターに隣接して又は前記ガター内に位置する光散乱構造又は光散乱材料を更に備える、請求項１に記載のディスプレイ。
【請求項１０】
前記ピクセルグループ間に少なくとも部分的に位置する電力又はグラウンド信号を伝導するバスラインを更に含む、請求項１に記載のディスプレイ。
【請求項１１】
前記ガター内に配列された前記１つ又は複数の電気要素は、電気コネクターによってそれぞれのサブピクセルに電気接続されて、光を放出するように前記それぞれのサブピクセルを駆動する複数のチップレットを更に含む、請求項１０に記載のディスプレイ。
【請求項１２】
前記電気要素のうちの１つは、前記第２の方向の第２の寸法を有する、電力バスであり、前記第２の方向に前記表示エリアの少なくとも中間まで延在し、
前記ディスプレイは、１つ又は複数の電気コネクターを更に含み、
各電気コネクターは、前記第２の寸法よりも小さい前記第２の方向のそれぞれの第３の寸法を有し、
前記ディスプレイは、前記表示エリア内に位置した１つ又は複数のサブピクセル駆動回路を更に含み、
各電気コネクターは、１つ又は複数のサブピクセル駆動回路に接続される、請求項１に記載のディスプレイ。
【請求項１３】
前記ディスプレイは有機エレクトロルミネッセントディスプレイであり、各サブピクセルは有機エレクトロルミネッセントエミッターを含む、請求項１に記載のディスプレイ。
【発明の詳細な説明】
【技術分野】
【０００１】
［関連出願の相互参照］
２００８年８月１４日に出願されて同一譲受人に譲渡された、Dustin L. Winters他に対する「OLED DEVICE WITH EMBEDDED CHIP DRIVING」という名称の米国特許出願第１２／１９１，４７８号が参照される。この米国特許出願の開示は本明細書に援用される。
【０００２】
本発明は、ピクセルグループを有するディスプレイに関し、より詳細には、ディスプレイ上でこうしたグループを編成し、それにより、画質を維持しながら、有機エレクトロルミネッセントエミッターの電流密度を低減することに関する。
【背景技術】
【０００３】
液晶、プラズマ、エレクトロルミネッセント（ＥＬ）ディスプレイ技術を含む多くの技術に基づくフラットパネルディスプレイが、当該技術分野でよく知られている。一般に、これらのディスプレイは、表示エリアを有する基板を含む。個々の発光素子又はサブピクセルは、その後、この表示エリア内に配列される。通常、水平方向及び垂直方向の両方における一定でかつ反復する距離によって、これらのサブピクセルのそれぞれの発光部が分離される。サブピクセルの発光部を分離するこのギャップは、サブピクセルの発光部に駆動信号を提供するための電気要素を含むことが多い。
【０００４】
これらのフラットパネルディスプレイの性能にとって重要な特性のうちの１つは、光を放出する各サブピクセルのエリアの部分である各サブピクセルの発光部の開口率（aperture ratio）である。この開口率は、液晶ディスプレイ等の、光を変調するディスプレイの効率に著しい影響を及ぼし、また、各サブピクセルが光を生成し放出する有機発光ディスプレイ（ＯＬＥＤ）等の発光型ディスプレイの寿命に著しい影響を及ぼす。開口率を上げるために、サブピクセルの発光部を分離するギャップ内の電気素子のサイズを低減することができる。しかし、これらの電気要素は、小さ過ぎると、表示エリア内でのサブピクセル間での電力分配等の重要な機能を実行することができない。表示エリア内では、短絡を防止するとともに、製造プロセスにおける配置の変動性に対する公差を許容するために、各サブピクセルの発光部と電気要素との間、及び表示エリア内の隣接する電気要素のうちの多くのものの間に空間も必要とされる。
【０００５】
電気要素のうちの多くのもののサイズは、特定のディスプレイサイズについて一定であることが重要である。例えば、電力バスのサイズは、ディスプレイの全体のサイズ及び電力バスが分配することを要求される電流量に関して決定されることが多い。したがって、ディスプレイの解像度が増加し、より多くのサブピクセルが、表示エリア内に収まるように設計されるにつれて、ディスプレイの解像度が増加するにつれて、これらのサブピクセルの発光部の開口率は減少する。この制約は、高解像度ディスプレイについてのディスプレイ市場の要求と直接競合する。
【０００６】
通常、各サブピクセルは、発光部及び電気要素の同じ配置構成又は非常に類似した配置構成から形成されるため、フラットパネルディスプレイ内のサブピクセルは、水平方向及び垂直方向に等間隔で分離される。この配置構成は、表示エリア全体にわたって複製される。発光サブピクセル部及び非発光サブピクセル部のこの規則的な反復配置構成によって、撮像アーティファクトが低減されることが当技術分野で認められている。この反復配置構成は、通常、３つ以上の光の色のそれぞれを放出するための異なるサブピクセルを有するフルカラーディスプレイにおいてさえも使用される。
【０００７】
ディスプレイ全体にわたって同じサブピクセルレイアウトが複製されないピクセル配置構成を使用することが当技術分野で知られている。例えば、「Active Matrix Display Device」という名称の特許文献１のMiyajimaは、、液晶サブピクセルの２つの行間で電力ラインが共有される液晶ディスプレイを説明している。この配置構成では、同じサブピクセル配置構成が基板全体にわたって反復されるのではなく、代わりに、表示エリア内のサブピクセルの偶数行及び奇数行がそれぞれ、異なるレイアウト及び異なる分離を有する。この配置構成は、サブピクセルの行間で電力ラインが共有されるため、電力バスのサイズが低減され、電力バスのうちの１つの周りで必要とされる公差が取り除かれ、液晶変調器の開口率が増加することを可能にするという利点を有する。しかし、この配置構成において、Miyajimaは、撮像アーティファクトを回避するために、サブピクセルの発光部間で均等な空間を維持する方法を教示している。サブピクセルの偶数行及び奇数行は異なる配置構成を有するが、この配置構成は、異なる配置構成を有するサブピクセルの交互の行を有するディスプレイに固有であることを知っておくべきである。
【０００８】
「Drive circuitry for four-color organic light-emitting device」という名称の特許文献２のWinters、「OLED displays with varying sized pixels」という名称の特許文献３のWinters他、及び「EL device having improved power distribution」という名称の特許文献４のCok他はそれぞれ、４色ピクセルを形成する４つのサブピクセルのグループの間で電力バス又は他の電気要素が共有されるＥＬディスプレイピクセル配置構成を論じている。やはり、この配置構成も、サブピクセルの２つの隣接する行又は列の間で電力バス又は他の電気要素を共有するという利点を有する。「Active Matrix Organic EL Display panel」という名称の特許文献５のSakamotoは、一方の方向におけるサブピクセル間のギャップのサイズが他方の方向のものと異なっているＥＬディスプレイを論じている。しかし、ＥＬディスプレイ技術分野におけるこれらの開示のそれぞれは、全てのピクセル間の距離が少なくとも１つの方向に沿って等しいピクセルアレイを図示又は説明しており、ピクセルは、ディスプレイ内で全ての色のサブピクセルを含むサブピクセルの可能な最小の反復グループである。
【０００９】
可変サイズでかつ可変間隔の光収集要素又は発光要素を有するディスプレイ又はセンサも知られている。例えば、「Anti-moire pixel array having multiple pixel types」という名称の特許文献６のBerstisは、１つのこうした配置構成を論じている。しかし、本開示は、このランダムなアレイ内での電気要素の配線を論じてもいないし説明してもいない。表示エリア内で空間を共有するための、サブピクセルの電気要素及び発光部についての要件、並びに製造歩留まり及び電気要素が規則的なグリッドにほぼ従う必要性を左右する性能考慮事項は、ほとんどのフラットパネルディスプレイ用途についてこうした配置構成を非実用的にする。
【先行技術文献】
【特許文献】
【００１０】
【特許文献１】米国特許公開第２００２００５７２６６号明細書
【特許文献２】米国特許第６，７７１，０２８号明細書
【特許文献３】米国特許第７，３８２，３８４号明細書
【特許文献４】米国特許公開第２００７０１７６８５９号明細書
【特許文献５】米国特許第７，３６８，８６８号明細書
【特許文献６】米国特許出願公開第２００３０１８４６６５号明細書
【発明の概要】
【発明が解決しようとする課題】
【００１１】
ディスプレイの解像度が更に増加するにつれて、開口率の更なる増加が、フラットパネルディスプレイの効率及び寿命を改善するために必要である。開口率のこの増加は、ディスプレイの画質を許容不能なレベルまで劣化させる望ましくない画像アーティファクトを生成することなく達成されるべきである。
【課題を解決するための手段】
【００１２】
本発明によれば、
コントローラーを含むディスプレイであって、
ａ）１つの基板と、
ｂ）前記基板のエリアより小さな前記基板上の表示エリアと、
ｃ）前記表示エリア内の前記基板上に形成され、第１の方向に沿って互いに分離された、隣接する第１及び第２の非オーバラップピクセルグループと、
ｄ）前記第１と前記第２のピクセルグループとの間に位置し、第１の方向に第１の寸法を有する、第１のガターと、
を備え、
各ピクセルグループは、複数のピクセルを含み、各ピクセルは、３つ以上の異なって着色された、光を放出するサブピクセルを有し、
前記各ピクセルグループ内の前記ピクセルは、前記第１の方向に沿うとともに前記第１の方向に直交する第２の方向に沿って延長された規則的な配列で配置され、
第１の距離は、前記第１の方向に沿っていずれか１つのピクセルグループの隣接したピクセルを分離する距離であり、
前記第１の距離は、前記第１の寸法より小さく、
前記第１及び第２のピクセルグループの各サブピクセルは、前記ガター内に配列された１つ又は複数の電気要素に接続され、
前記コントローラーは、入力画像信号を受信し、前記第１のガターに隣接した全てのピクセルの輝度を、前記第１のガターと隣接していない全てのピクセルの輝度と比較して、増大させ、前記コントローラーは、前記第１の方向において前記ガターの第１の寸法と前記第１の距離との差を補償するように前記入力画像信号を処理する補間回路部を含み、前記補間回路部は、ピクセルグループにわたって表示されるラインの直線性を改善するように、前記入力画像信号に対して前記ガターからの空間的場所に対応して重み付けを行うディスプレイが提供される。
【発明の効果】
【００１３】
ピクセルを編成したものを配列することによって、発光型ディスプレイの発光面積を増加させ、それにより、エミッターの電流密度を低減する、より効率的なピクセル設計が提供される。この利点は、こうした配置構成の結果として生じるアーティファクトの可視性を低減し、それにより、画質を維持しながら得られる。
【図面の簡単な説明】
【００１４】
【図１】本発明の配置構成によるディスプレイの一部分の平面図である。
【図２】コントローラーを含む、本発明のディスプレイの略図である。
【図３】本発明の配置構成において有用なコントローラーの略図である。
【図４】本発明の配置構成において有用なコントローラーの略図である。
【図５】本発明の配置構成によるディスプレイの一部分の平面図である。
【図６】本発明の配置構成において有用なコントローラーの略図である。
【図７】本発明の配置構成によるチップレットを使用するディスプレイの一部分の平面図である。
【図８】図７のディスプレイのより大きな部分の平面図である。
【図９】本発明の配置構成による従来のＴＦＴバックプレーンを使用するディスプレイの平面図の略図である。
【発明を実施するための形態】
【００１５】
本発明は、改善されたフィルファクター（fill factor）を有するディスプレイを提供し、画像アーティファクトが低減されたエレクトロルミネッセント（ＥＬ）ディスプレイにおいて低減された電流密度を提供する。こうしたディスプレイ２の一部分の例が図１に示される。図示するように、このディスプレイ２は、基板４、及びピクセルを含む表示エリア６を含み、表示エリア６は、基板４のサイズ又は面積より小さい。表示エリア６は、第１の非オーバッラップピクセルグループ８及び第２の非オーバッラップピクセルグループ１０、並びに第１の非オーバッラップピクセルグループ８と第２の非オーバラップピクセルグループ１０との間に位置するガター１２を含む。このガター１２は、更に説明されるように、ピクセルの複数の行又は列に電力又は制御信号を提供するための電気要素を含む。このガター１２は、矢印１６で示す第１の方向に寸法１４を有し、第１のピクセルグループ８及び第２のピクセルグループ１０を分離する。ガター寸法１４は、図１に示すピクセル間の空間を含むように測定される。通常の配置構成では、ガター１２に隣接するピクセル２４、２６のエッジ、ピクセルグループ８のエッジ、及びガター１２のエッジは一致する。しかし、それぞれの個々のエンティティの存在を示すのを助けるために、エッジは、図１において非オーバラップラインを使用して描かれている。ガターは、一般に、電気要素のため、また、ディスプレイ内でこれらの電気要素と他の要素との間に空間を提供するために取っておかれることに留意すべきである。ガターは、本開示で用いられるとき、ピクセルの発光領域を含まないことになる。
【００１６】
各ピクセルグループ８、１０は、複数のピクセル２０、２２、２４、２６を含み、各ピクセル２０は、３つ以上の異なって着色されたサブピクセル３０、３２、３４、３６を有する。各ピクセル２０内でのサブピクセル３０、３２、３４、３６の１つの可能な配置構成が図１に示される。図示するように、ピクセル２０は、赤サブピクセル３２、緑サブピクセル３０、及び青サブピクセル３４を含む。この特定の配置構成における各ピクセル２０、２２、２４、２６は、異なる色の光を放出するための少なくとも１つの更なるサブピクセル３６を更に含み、異なる色の光は、通常、白色、シアン色、又は黄色の光の中から選択されることになる。本開示において、更なるサブピクセル３６は、白サブピクセルと呼ばれることが多く、白発光サブピクセルは、更なるサブピクセルとして選択されることが多い。しかし、本発明は、シアン光又は黄光を放出する更なるサブピクセルを使用するディスプレイにも同様によく当てはまることを当業者は認識するであろう。本開示において、「ピクセル」は、ディスプレイ上で反復される３つ以上の異なって着色されたサブピクセルの任意のグループとして規定される。通常、白光を放出するようにピクセル内のサブピクセルを照明させることが可能である。「サブピクセル」は、光を放出する個々にアドレス指定可能な素子として規定される。したがって、光は、サブピクセル３０、３２、３４、３６のエリア全体から放出される。しかし、ピクセル２０は、サブピクセル３０、３２、３４、３６及びサブピクセル間のエリアを含む。各ピクセル２０は、ピクセル２０内のサブピクセル３０、３２、３４、３６の幾何学的中心を計算することによって確定されるピクセル中心３８、４０、４２、４４を有することになる。
【００１７】
各ピクセルグループ８内のそれぞれのピクセル２０、２２、２４、２６のピクセル中心３８、４０、４２、４４は、矢印１６で示す第１の方向に平行な方向に配列された１次元を有する規則的な２次元アレイで配列される。各ピクセル２０は、矢印１６で示す第１の方向に平行である一対のエッジ及び第１の方向に垂直である一対のエッジを有する。これらのエッジは、矢印１６で示す第１の方向に平行に又は垂直に存在し、かつ、ピクセル内に各サブピクセルの全体を閉囲しながら、できる限りピクセル中心３８、４０、４２、４４に近いラインによって指定される。例えば、ピクセルエッジは、ピクセル２０を示すラインによって示される。その理由は、このラインが、サブピクセル３０、３２、３４、及び３６の全体を閉囲すると同時に、矢印１６で示す方向に平行な２つのエッジ及び該方向に垂直な２つのエッジを有するからである。ピクセルグループ内のピクセル、例えばピクセル２０及び２２、第１の方向にピクセル間分離４６だけ分離され、そのピクセル間分離は、第１の方向に垂直なピクセル２０のエッジと隣のピクセル２２の最も近い平行エッジとの間の距離である。
【００１８】
ディスプレイは、ガター１２内に配列された１つ又は複数の電気要素４８を更に含む。ピクセルグループ内の各サブピクセルは電気要素に接続される。ガター寸法１４は、ピクセル間分離４６より大きく、したがって、ピクセルグループ間の分離は、ピクセル間分離より大きい。この配置構成は、表示画像内のアーティファクトが低減されるように提供される。更に論じるように、ディスプレイ内のアーティファクトは、複数の配置構成又はディスプレイ駆動方法によって低減される。
【００１９】
図１に示すような本発明の特定の配置構成では、各電気要素４８は、矢印１６で示す第１の方向に要素寸法５０を有し、ガター寸法１４は、要素寸法４８より大きい。したがって、各電気要素４８は、矢印１６で示す第１の方向にそれぞれの要素寸法５０を有し、ガター寸法１４は、要素寸法のいずれよりも大きい。同様に図示するように、図１では、各ピクセルグループ８は、矢印１６で示す第１の方向に配列された３つ以上のサブピクセル３０、３４、５４、５６を含む。図１に更に示すように、表示エリア６は、第１の非オーバラップピクセルグループ８、第２の非オーバラップピクセルグループ１０、及び第３の非オーバラップピクセルグループ６０を含む。ガター寸法１４は、矢印１６で示す第１の方向に、第１のピクセルグループ８と第２のピクセルグループ１０との間で測定される。さらに、第２のガター寸法５８を有する第２のガター６２は、矢印６６で示すように、第１の方向と異なる第２の方向において、第１のピクセルグループ８と第３のピクセルグループ６０との間に位置する。第２のガター寸法５８は、第２の方向に、第１のピクセルグループと第３のピクセルグループとの間で測定される。各ガター１２、６２のそれぞれの寸法１４、５８は、ピクセルグループのそれぞれの方向において、それぞれのピクセル間分離４６、６４より大きい。すなわち、ガター１２の寸法１４は、ピクセル分離４６より大きく、ガター６２の寸法５８は、ピクセル分離６４より大きい。同様に、図１に示すように、矢印１６で示す第１の方向及び矢印６６で示す第２の方向は、いくつかの配置構成において直交する。
【００２０】
図２を参照して、いくつかの配置構成では、本発明のディスプレイ２は、該ディスプレイ２上に画像を提示するために、入力画像信号７２を受信し、該入力画像信号７２に応答してピクセルの輝度を制御するための駆動信号７４を提供するコントローラーを備えることができる。通常の入力画像信号７２は、規則的なサンプリンググリッドを有する３色信号を含む。すなわち、信号は、通常、同時に起こる赤、緑、及び青の光放出を有するピクセルのアレイを有するディスプレイ上に画像を提示するようにフォーマットされ、ピクセルのそれぞれの中心は、サンプリンググリッド上にあり、ピクセル中心は等間隔である。入力画像信号が、本発明のディスプレイ２等のディスプレイ上に提示されると、画像のライン及びエッジは、通常、歪まされる。この歪を回避するために、１つの配置構成では、コントローラー７０は、第１の方向においてガターの寸法１４とピクセルグループ分離４６との差を補償するために入力画像信号を処理する補間回路部を含むことになる。いくつかの配置構成では、この同じ補間回路部はまた、同時に起こらない赤光、緑光、及び青光の放出の存在を補償する。
【００２１】
必要な補間回路部を含むコントローラーの配置構成が図３に示される。この図に示すように、コントローラー７０は、入力画像信号７２を受信し、この入力画像信号を受信ユニット８０に供給する。この受信ユニットは、受信済み入力画像信号８２を形成するために、入力画像信号７２を圧縮解除すること又は入力画像信号７２の色空間を変換することを含む、データをフォーマットするのに必要な任意の処理を実行する。受信済み入力画像信号８２は、その後、少なくとも１行のデータを格納するためのラインバッファーユニット８４に給送されることになる。同時に、受信ユニットは、入力画像信号７２内の再スキャン信号に対応するラインの終わりを示すエンドオブライン信号８６をライン切換えユニット８８に提供する。このライン切換えユニット８８は、ライン選択信号９０を提供する。このライン選択信号９０は、ディスプレイ２上でガター１２に対する入力画像信号７２内のラインの場所を示すことになる。例えば、図１のディスプレイの例では、ライン選択信号９０は、ガターの下の行については１を示し、ガターの真上の行については２を示すことができる。いくつかの配置構成では、ライン切換えユニット８８はまた、ライン選択信号９０内で提供されるデータの各ピクセルについて異なるコードを提供することになる。ライン選択信号９０に応答して、補間係数選択ユニット９２は、補間係数格納ユニット９６から選択及び補間信号９４を交換し、補間係数信号１０６を補間ユニット１００に提供することになる。補間ユニット１００は、複数のピクセルのデータを使用して第１の方向に補間を適用して、補間済み信号を提供することになる。補間ユニット１００は、ラインバッファーユニット８４からバッファリングされた入力画像信号９８を取得し、補間係数信号１０６を使用してこれらの値を補間することによりこの補間を完了して、補間済み信号１０２を提供する。この補間済み信号１０２は、その後、駆動信号ユニット１０４によって駆動信号７４に変換されることになる。
【００２２】
この変更された補間を実行することによって、ガターから遠くのサブピクセルは、ガターに近い空間的場所に対応する画像信号値に比べて、ガターから遠い空間的場所に対応する入力画像信号値により重く依存するように重み付けられることになる。したがって、この空間的補間技法の適用は、ピクセルグループにわたって表示されるラインの直線性を改善することを含めて、空間的歪を低減することになる。ラインの直線性のこの改善は、ガターの反対側のピクセルグループについて特に有用である。
【００２３】
他の画像処理オプションが、いくつかの実施形態で使用されて、ディスプレイ２上で提示される画像のアーティファクトの可視性が更に低減される。図１に示すディスプレイ２は、１つのこうした技法を可能にする。図１に示すように、各ピクセル２０は、４つのサブピクセル３０、３２、３４、３６の反復配置構成を含み、各サブピクセルは、異なる色の光を放出し、各ピクセル２０は、第１の方向に、対応する異なる色の光を放出するための少なくとも２つのサブピクセル３０、３４を含み、各ピクセルグループ８は、矢印１６で示す第１の方向に複数のピクセル２０、２４を含む。各ピクセル８が４つのサブピクセル３０、３２、３４、３６を含むとき、３色入力画像信号で指定される任意の色が、４つのサブピクセルのうちのわずか３つのサブピクセルの２つの固有のグループからの光を結合することによって作られる。この配置構成によって、ピクセル輝度の大部分を、ピクセルエッジ又は対向するピクセルエッジ上の近い方のサブピクセルから形成することによって、知覚されるピクセルの中心をシフトすることが可能になる。したがって、いくつかの配置構成では、ディスプレイ２は、入力画像信号７２を受信するための、図２のコントローラー７０等のコントローラーを更に含み、コントローラー７０は、フラットフィールド入力画像信号に応答して、ガターに隣接するサブピクセルが、残りのサブピクセル、例えば各ピクセルグループの内部のサブピクセルより高い輝度を提供するようにサブピクセルの輝度を制御するための駆動信号７４を提供する。フラットフィールド入力画像信号は、各ピクセルの所望の輝度が同じである信号である。
【００２４】
より明確な例では、サブピクセル３０、３２、３４、３６の配列は、アクティブ表示エリア６の全てのピクセル２０において反復される。これらのサブピクセルは、緑光及び白光をそれぞれ放出するサブピクセル３０及び３６並びに赤光及び青光をそれぞれ放出するサブピクセル３２及び３４を含む。この配置構成では、ピクセルによって提供される輝度の非常に大きな部分は、緑光放出サブピクセル３０及び白光放出３６によって提供されることになる。したがって、隣接するガターにいずれが近いかに応じて、緑サブピクセル又は白サブピクセルを優先的に使用するために駆動方法を変更することによって、知覚されるピクセルの中心は、ガター内のエリアにより近くシフトされ、本発明者らによって認められるように、ガターの可視性を低減することになり、したがって、提示される画像のアーティファクトが低減される。
【００２５】
必要な３色／４色変換回路部を含むコントローラーの配置構成が図４に示される。このコントローラー１３０は、図３のコントローラーで示すのと同じコンポーネントのうちのいくつかを有し、いくつかの配置構成では、このコントローラーの固有の機能は、図３のコントローラー７０の機能と統合される。この図に示すように、コントローラー１３０は、入力画像信号７２を受信し、この入力画像信号を受信ユニット８０に供給する。この受信ユニット８０は、受信済み入力画像信号８２を形成するために、入力画像信号７２を圧縮解除すること、又は、入力画像信号７２の色空間を変換することを含む、データをフォーマットするのに必要な任意の処理を実行する。受信済み入力画像信号８２は、入力画像信号で表われるピクセルごとの３つの入力信号値を含む３色入力画像信号とすることができ、入力画像信号７２の各ピクセルについて３つの入力信号値の最小値を計算するための最小ユニット１１２に給送することができる。同時に、受信ユニットは、入力画像信号７２内の再スキャン信号に対応するラインの終わりを示すエンドオブライン信号８６をライン切換えユニット８８に提供する。このライン切換えユニット８８は、ライン選択信号９０を提供する。このライン選択信号９０は、ディスプレイ２上でガター１２に対する入力画像信号７２内のラインの場所を示すことになる。例えば、図１のディスプレイの例では、ライン選択信号９０は、ガターの下の行については１を、ガターの真上の行については２を示すことができる。いくつかの配置構成では、ライン切換えユニット８８はまた、ライン選択信号９０内で提供されるデータの各ピクセルについて異なるコードを提供することになる。ライン選択信号９０に応答して、白混合比選択ユニット１１４は、白サブピクセルによって生成される輝度の比を示す信号を提供することになる。ライン選択信号が、ガターに隣接する緑サブピクセルを有するピクセルに入力画像データが対応するようなものである場合、低い値、例えばゼロが割り当てられることになり、ガターに隣接する白サブピクセルを有するピクセルにデータが対応する場合、高い値、例えば１が、白混合比信号として割当てられることになる。この白混合比信号１１６は、その後、Ｗ計算ユニット１２０に提供されることになる。Ｗ計算ユニットは、最小ユニット１１２から確定される最小信号１１８の最小値を白混合比信号１１６に乗算して、白サブピクセルを駆動するためのＷ信号１２２を計算することになる。Ｗ信号１２２は、Ｗ減算ユニット１２４に提供され、Ｗ減算ユニット１２４は、受信済み入力画像信号８２の３色信号からこの値を減算して、出力Ｒ信号、出力Ｇ信号、及び出力Ｂ信号１２６が取得される。ＲＧＢＷ信号１２６は、その後、これらの値を駆動信号７４に変換する駆動信号ユニット１２８に提供されることになる。黄光又はシアン光を放出する更なるピクセルを使用する実施形態では、この白混合比信号１１６は、必要とされる黄光又はシアン光の混合比を示し、この信号は、類似の方法で印加されることになる。
【００２６】
図４のコントローラーは、図１に示すディスプレイ２と同様なピクセル配置構成を有するディスプレイに適用されるが、同様な処理は、他のピクセル配置構成においても適用される。図５は、一対のガター１３４と１３６との間にピクセルグループ１３２を含むエレクトロルミネッセント（ＥＬ）表示エリア１３１の一部分を示し、各ガターは１つ又は複数の電気要素１３８、１４０を含む。図５に示すように、ピクセルグループ１３２は、４つの固有のピクセルの行１４２、１４４、１４６、１４８を含む。これらのピクセルの行１４２、１４４、１４６、１４８のそれぞれは、赤光、緑光、及び青光をそれぞれ放出するためのサブピクセル１５０、１５２、１５４の反復パターンをそれぞれ含むピクセルの反復パターンを含む。このような配置構成では、ピクセルの行１４４及び１４６は、サブピクセルの高さ及びピクセルグループ１３２内の２つのサブピクセルの行の間の垂直分離を含む、垂直方向にわたって光を提供する。一方、ピクセルの行１４２及び１４８は、サブピクセルの高さ、サブピクセル間の垂直分離の半分、及びガターの寸法の半分を含む、垂直寸法にわたって光を提供する。本発明のディスプレイのガターは、垂直方向のピクセル分離より大きい寸法を有し、したがって、全てのピクセルが同じ輝度を生成するように駆動される場合、ガターに近い、すなわち行１４２及び１４８内のピクセル並びにガターを含む領域の全体的な輝度は、少なくとも１つのピクセルの行によってガターから分離されるピクセルグループのピクセル、すなわち行１４４、１４６のピクセルの全体的な輝度より小さくなるようにユーザーに見える。したがって、見かけのこの輝度の差を補償するためにガターに隣接するピクセルの相対輝度を増加させることによってアーティファクトが低減される。
【００２７】
ピクセルの行の輝度におけるこの調整は、図６に示すコントローラーを更に提供する本発明の１つの配置構成内で提供される。このコントローラー１６０は、図３のコントローラーで示すのと同じコンポーネントのうちのいくつかを有し、いくつかの配置構成では、このコントローラーの固有の機能は、図３のコントロータ７０の機能と統合される。この図に示すように、コントローラー１６０は、入力画像信号７２を受信し、この入力画像信号を受信ユニット８０に供給する。この受信ユニットは、入力画像信号を圧縮解除すること又は入力画像信号の色空間を変換することを含む、データをフォーマットするのに必要な任意の処理を実行する。受信済み入力画像信号８２は、入力画像信号で表わされるピクセルごとの３つの入力信号値を含む３色入力画像信号であり、利得適用ユニット１６６に給送することができる。同時に、受信ユニットは、入力画像信号７２内の再スキャン信号に対応するラインの終わりを示すエンドオブライン信号８６をライン切換えユニット８８に提供する。このライン切換えユニット８８は、ライン選択信号９０を提供する。このライン選択信号９０は、図５に示すディスプレイ上でガター１２に対する入力画像信号７２内のラインの場所を示すことになる。例えば、ライン選択信号９０は、ガターに隣接するピクセルの行については１を、ガターに隣接しないピクセルの行については２を示すことになる。ピクセルが、図５に示すガターに垂直に配向するとき等のいくつかの配置構成では、ライン切換えユニット８８はまた、ライン選択信号９０内で提供されるデータの各ピクセルについて異なるコードを提供することができる。ライン選択信号９０に応答して、利得選択ユニット１６２は、利得信号１６４を選択し提供する。この利得値は、ガターに隣接しないピクセルの行に比べて、ガターに隣接するピクセルの行について大きいことになる。利得適用ユニット１６６は、利得信号１６４及び受信済み入力画像信号８２の両方を受信し、利得信号１６４を受信済み入力画像信号８２に適用することになる。利得適用ユニット１６６は、その後、利得された信号１６８を駆動信号ユニット１０４に提供し、駆動信号ユニット１０４は、ディスプレイ上に画像を提示するために駆動信号１７０を提供する。こうしたコントローラーを設けることによって、ディスプレイは、入力画像信号を受信し、フラットフィールド入力画像信号に応答して、ガターに隣接するピクセルが残りのピクセルより高い輝度を提供するようにピクセルの輝度を制御するコントローラーを更に含む。
【００２８】
本発明は、或る特定の電気要素のサイズが、ピクセル間分離より大きくなるように制限されるときに特定の利点を有する。図７は、１つのこうした配置構成を示す。図７に示すように、ＥＬディスプレイの一部分が形成される。ＥＬディスプレイのこの部分は、基板１８２及び基板１８２より小さい表示エリア１８４を含む。図示するように、ＥＬディスプレイのこの部分は、４つのピクセル１８６、１８８、１９０、１９２を含む。各ピクセルは、電流に応答して赤光、緑光、青光、及び白光をそれぞれ放出する４つのサブピクセル１９４、１９６、１９８、２００を含む。この配置構成によって、各ピクセル内のサブピクセルを照明させるための電流を提供する電力バス２０２上に電流が提供される。
【００２９】
これらのサブピクセルを制御するために、チップレット２０４が、電力バス２０２及び４つのピクセル１８６、１８８、１９０、１９２内の各サブピクセルに取り付けられる。「チップレット」は、ディスプレイデバイス内に搭載され埋め込まれる、別個に作製された集積回路である。従来のマイクロチップ（又はチップ）と非常によく似て、チップレットは、基板から作製され、集積化トランジスタ、並びに、半導体作製設備（又はｆａｂ）において堆積され、その後フォトリソグラフィ法を使用してパターニングされる絶縁体層及び導体層を含む。チップレット内のこれらのトランジスタは、ディスプレイのピクセルに電流を駆動するトランジスタ駆動回路内に配列される。チップレットは、従来のマイクロチップより小さく、従来のマイクロチップと違って、ワイヤボンディング又はフリップチップボンディングによってチップレットに対して電気接続が行われない。代わりに、ディスプレイ基板上に各チップレットを搭載した後に、伝導層及び絶縁体層の堆積及びフォトリソグラフィ的パターニングが続く。したがって、例えばサイズが２マイクロメートル〜１５マイクロメートルのビアを使用することによって接続部を小さくすることができる。チップレットが、別個の基板上で作製され、ディスプレイ基板上に堆積されるため、これらのチップレットの製造及びハンドリングは費用がかかる可能性がある。しかし、本発明では、ピクセル１８６、１８８、１９０、１９２等の複数のピクセルを駆動することができるチップレットを生成することによって、チップレットの数が低減される。しかし、アーティファクトを低減するために、チップレットは、できる限り小さな寸法を有することが望ましい。したがって、図示するように、チップレット２０４は、矢印２０５の方向で示す第１の方向に第１のチップレット寸法２０８を有するとともに、矢印２０６の方向で示す第２の直交方向に第２のチップレット寸法２１０を有する。第１のチップレット寸法２０８は、第２のチップレット寸法２１０より小さい。
【００３０】
これらのチップレットは、その後、電気コネクターによってディスプレイ内のサブピクセルに取り付けられる。例えば、サブピクセル１９４は電気コネクター２１２によってチップレットに接続され、サブピクセル１９８は電気コネクター２１４によってチップレット２０４に接続される。図示するように、図７では、この配置構成の各チップレットは、電力バス２０２から第１の方向の４つのサブピクセルの行への電流を変調する。１９４及び１９８に加えてサブピクセル２１６及び２２０は、矢印２０５の方向で示すのと同じ第１の方向に配列される。これらのサブピクセルも、電気コネクター２１８及び２２２によってチップレット２０４に接続される。本発明によれば、チップレット２０４は、ガター２２４内に位置する。ガター内には選択ライン２１５も示される。この選択ライン２１５は、ディスプレイ内の各チップレット２０４に、チップレット２０４に取り付けられた各サブピクセルについての所望の駆動レベルを示すデータを提供することになる。ＴＦＴ内の回路は、その後、電力バス２０２から、電気コネクター２１２を含む電気コネクターを通って、サブピクセル１９４を含むサブピクセルのそれぞれへの電流の流れを変調する。したがって、ガター内に配列された１つ又は複数の電気要素は、光を放出するようにサブピクセルを駆動するために、電気コネクターによってサブピクセルに電気的に接続された複数のチップレットを更に含む。これらの電気コネクターは、各チップレットに直接接続される。
【００３１】
ディスプレイ部１８０は、その後、ディスプレイのより大きな部分を形成するために、タイル状に並べられる。図８は、４つのチップレット２３２ａ、２３２ｂ、２３２ｃ、及び２３２ｄ並びに２つの電力バス２３４ａ、２３４ｂを含むディスプレイ２３０の一部分を示す。これらのチップレット２３２ａ、２３２ｂ、２３２ｃ、２３２ｄ及び電力バス２３４ａ、２３４ｂのそれぞれは、ガター内に存在し、第１の方向のガター内に存在するチップレットは第１のガター寸法２３６ａ、２３６ｂを有し、第２の方向のガター内に存在する電力バス２３４ａ、２３４ｂは第２のガター寸法２３８ａ、２３８ｂを有する。これらの２つのガターの間で、４つのピクセルを含むとともに各ピクセルが４つのサブピクセルを含むピクセルグループ２４６が形成されている。垂直ピクセル間分離２４０及び水平ピクセル間分離２４２は、これらのピクセルの対の間に存在し、これらのピクセル間分離２４０、２４２は、第１の方向のガター寸法２３６ａ、２３６ｂ又は第２の方向のガター寸法２３８ａ、２３８ｂより小さい。チップレット２３２ａ、２３２ｂ、２３２ｃ、２３２ｄ、電力バス２３４ａ、２３４ｂ、及び選択ライン２４４ａ、２４４ｂのそれぞれは、ガター内に形成されている電気要素であり、電気接続は、これらの要素とピクセルグループ２４６内のサブピクセルとの間で形成される。したがって、ガター内に配列された１つ又は複数の電気要素のうちの少なくとも１つは、光を放出するようにサブピクセルを駆動するためにサブピクセルに電気的に接続されたチップレットを含む。同様に示されるのは、ピクセルグループ２４６間に少なくとも部分的に位置し、電力又はグラウンド信号を伝導するバスラインである。
【００３２】
各サブピクセルは、第１の方向にピクセルサイズ２４８のサブピクセルも有する。実験によって、アーティファクトを低減するには、第１の方向のガター寸法２３６ａ、２３６ｂが、第１の方向のサブピクセル寸法２４８以下であるべきであることが示されている。他の実験では、例えばサブピクセルよりも高くしたバンク層を、チップレット２３２ａ、２３２ｂ、２３２ｃ、２３２ｄの周りに形成して、サブピクセルエリアの外側に不均一な表面を設けることにより、光がサブピクセルエリアの外側に散乱し、それにより、この領域内でＥＬディスプレイから光が放出され、ガターの暗い領域がマスクされることが実証されている。そのため、ディスプレイが、ガターに隣接して又はガター内に位置する光散乱構造又は光散乱材料を更に含むことが有用である。
【００３３】
本発明の配置構成は、望ましくは、チップレットを用いてサブピクセルへの電流を変調するディスプレイで使用されるが、従来の薄膜トランジスタ（ＴＦＴ）バックプレーン技術を利用するディスプレイは、本発明のいくつかの配置構成から利益を得る。具体的には、エレクトロルミネッセント（ＥＬ）ディスプレイ等の発光型ディスプレイ技術と組み合わせて薄膜トランジスタバックプレーン技術を使用する大きな高解像度ディスプレイが利益を得る。このクラスのディスプレイでは、大きな断面積を有する電力バスを使用することが必要である。その理由は、これらの電力バスが、少なくともディスプレイのエッジからディスプレイの少なくとも半分の高さ又は幅の距離まで延在する、すなわち、表示エリアの少なくとも半分の寸法である寸法にわたって延在するため、長い距離にわたってかなりの電流を提供するからである。したがって、ディスプレイは、ピクセルグループ間に少なくとも部分的に位置する、電力又はグラウンド信号を伝導するバスラインを含む。大きな断面積を使用しない場合、これらの電力バスの抵抗率は、電力ラインに沿うＩＲ損失のために、必要な電流をこれらの長い距離にわたって提供することがかなりの電圧降下をもたらすようなものである。薄膜トランジスタ技術を使用するディスプレイでは、電力バスの厚さは、通常、薄膜トランジスタの厚さによって制約され、したがって、大きな断面積が必要であることは、幅広の電力バスをもたらす。大きな高解像度ディスプレイの場合、サブピクセルは、小さく、したがって、高解像度を有する大きな発光型ディスプレイでは、電力バスは、図９に示すように、サブピクセルの最大の寸法程度の寸法を必要とすることが多い。従来のバックプレーンでは、電力バス２５０は、通常、全てのピクセル間に設置されることになる。例えば、電力バス２５０は、ピクセル２５６と２５８との間、並びにピクセル２５８と２６０との間に位置する。しかし、この配置構成は、サブピクセルの開口率を著しく減少させる。
【００３４】
図９に示すように、電力バス２５０は、寸法２６２を有するガター内に第１の方向に形成される。この電力バス２５０は、全て垂直電気配線接続であるように、バックプレーンの第１の金属化層内に形成される。電力分配を助けるために、第２の電力バス２５２が、バックプレーンの第２の金属化層内に形成され、ビア（図示せず）を通じて電力バス２５０に取り付けられる。全ての水平電気配線接続は、絶縁層によって第１の金属化層から分離された第２の金属化層内に形成され、必要である場合には、当業者に明らかな方法を使用して第１の金属化層にビアによって接続される。ＴＦＴ回路２６６は、各サブピクセルについて形成され、電気コネクター２５４によって電力バス２５２に取り付けられる。一配置構成では、この電気コネクター２５４は、第１の金属化層内に形成され、電力バス２５２に取り付けられる。選択ライン２６８、２７０及びデータライン２７２、２７４を含む他の必要な電気要素は、必要に応じて形成され、ＴＦＴ回路２６６に取り付けられる。当該技術分野で知られている任意の既知のＴＦＴ回路を本発明の配置構成内で適用することができる。図示するように、各ピクセル２５６、２５８、２６０は、異なる色の光を放出するための４つのサブピクセル２７６、２７８、２８０、２８２で構成される。
【００３５】
しかし、本発明で重要であるのは、水平方向のガター寸法２６２が、ピクセルグループ内のピクセル２５８、２６０についての水平寸法のピクセル間間隔２６４より大きいことである。論じたように、この配置構成は、１つ又は複数の電気要素、具体的には電力バス２５０がガター内に配列されたディスプレイを提供する。このバスラインは、或る寸法を有し、表示エリアの少なくとも半分にわたって延在することになる。電気コネクターは、バス寸法より小さい第２の寸法を有し、光を放出するようにサブピクセルを駆動するための、表示エリア内に位置する１つ又は複数の回路に接続される。更に図示するように、バス寸法は、電気コネクターの寸法の少なくとも２倍である。また、ガター内に配列された１つ又は複数の電気要素のうちの１つ（すなわち、電力バス２５０）は、要素寸法２９４を規定し、表示エリアの少なくとも半分にわたって、選択された方向、例えば矢印２９０で示す第１の方向に延在する。ディスプレイは、選択された方向の要素寸法より小さい、それぞれのコネクター寸法（複数の場合もあり）２９６を規定する１つ又は複数の電気コネクター（複数の場合もあり）２５４を更に含み、光を放出するようにサブピクセル２７６、２７８を駆動するための、表示エリアに位置する１つ又は複数の回路（複数の場合もあり）２６６を更に含み、１つ又は複数の電気コネクター（複数の場合もあり）２５４はそれぞれ、回路（複数の場合もあり）２６６のうちの１つ又は複数に接続される。
【００３６】
好ましい配置構成では、本発明のＥＬディスプレイは、各サブピクセルが有機エレクトロルミネッセントエミッター、具体的には有機発光ダイオード（ＯＬＥＤ）を含む、有機エレクトロルミネッセントディスプレイである。これらのＯＬＥＤエミッターは、Tang他による米国特許第４，７６９，２９２号及びVanSlyke他による米国特許第５，０６１，５６９号に開示されているが、それに限定されない、小さな分子又はポリマーＯＬＥＤで構成される。有機発光材料の多くの組合せ及び変形が、こうしたパネルを作製するために使用することができる。こうした実施形態では、本発明によって実現される開口率の増加は、所望のピーク輝度を得るために、各サブピクセルから必要とされる電流密度を低減する。この技術において、フィルファクタは、特にディスプレイ内の電力バスのサイズによって制限され、フィルファクタの増加によって実現される電流密度の減少は、ＯＬＥＤ内の有機発光材料の寿命を直接的に延長し、本発明を、この特定のディスプレイ技術において特に望ましいものにする。
【００３７】
本発明は、本発明の或る特定の好ましい配置構成を特に参照して詳細に説明されたが、本発明の趣旨及び範囲内で、変形及び変更を行うことができることが理解されよう。
【符号の説明】
【００３８】
２  ディスプレイの一部分
４  基板
６  表示エリア
８  第１のピクセルグループ
１０  第２のピクセルグループ
１２  ガター
１４  ガター寸法
１６  第１の方向を示す矢印
２０  ピクセル
２２  ピクセル
２４  ガターに隣接するピクセル
２６  ガターに隣接するピクセル
３０  緑光を放出するサブピクセル
３２  赤光を放出するサブピクセル
３４  青光を放出するサブピクセル
３６  異なる色の光を放出するサブピクセル
３８  ピクセル中心
４０  ピクセル中心
４２  ピクセル中心
４４  ピクセル中心
４６  ピクセル間分離
４８  電気要素
５０  要素寸法
５４  サブピクセル
５６  サブピクセル
５８  ガター寸法
６０  ピクセルグループ
６２  ガター
６４  ピクセル間分離
６６  第２の方向を示す矢印
７０  コントローラー
７２  入力画像信号
７４  駆動信号
８０  受信ユニット
８２  受信済み入力画像信号
８４  バッファーユニット
８６  エンドオブライン信号
８８  ライン切換えユニット
９０  ライン選択信号
９２  補間係数選択ユニット
９４  選択及び補間信号
９６  補間係数格納ユニット
９８  バッファリングされた入力画像信号
１００  補間ユニット
１０２  補間済み信号
１０４  駆動信号ユニット
１０６  補間係数信号
１１２  最小ユニット
１１４  混合比選択ユニット
１１６  白混合比信号
１１８  最小信号
１２０  Ｗ計算ユニット
１２２  Ｗ信号
１２４  Ｗ減算ユニット
１２６  ＲＧＢＷ信号
１２８  駆動信号ユニット
１３０  コントローラー
１３１  ＥＬ表示エリアの一部分
１３２  ピクセルグループ
１３４  ガター
１３６  ガター
１３８  電気要素
１４０  電気要素
１４２  ピクセルの行
１４４  ピクセルの行
１４６  ピクセルの行
１４８  ピクセルの行
１５０  サブピクセルの反復パターン
１５２  サブピクセルの反復パターン
１５４  サブピクセルの反復パターン
１６０  コントローラー
１６２  利得選択ユニット
１６４  利得信号
１６６  利得適用ユニット
１６８  利得された信号
１７０  駆動信号
１８０  ディスプレイ部
１８２  基板
１８４  表示エリア
１８６  ピクセル
１８８  ピクセル
１９０  ピクセル
１９２  ピクセル
１９４  サブピクセル
１９６  サブピクセル
１９８  サブピクセル
２００  サブピクセル
２０２  電力バス
２０４  チップレット
２０５  矢印
２０６  矢印
２０８  第１のチップレット寸法
２１０  第２のチップレット寸法
２１２  電気コネクター
２１４  電気コネクター
２１５  選択ライン
２１６  サブピクセル
２１８  電気コネクター
２２０  サブピクセ
２２２  電気コネクター
２２４  ガター
２３０  ディスプレイの一部分
２３２ａ  チップレット
２３２ｂ  チップレット
２３２ｃ  チップレット
２３２ｄ  チップレット
２３４ａ  電力バス
２３４ｂ  電力バス
２３６ａ  第１のガター寸法
２３６ｂ  第１のガター寸法
２３８ａ  第２のガター寸法
２３８ｂ  第２のガター寸法
２４０  ピクセル間分離
２４２  ピクセル間分離
２４４ａ  選択ライン
２４４ｂ  選択ライン
２４６  ピクセルグループ
２４８  サブピクセル寸法
２５０  電力バス
２５２  電力バス
２５４  電気コネクター
２５６  ピクセル
２５８  ピクセル
２６０  ピクセル
２６２  ガター寸法
２６４  ピクセル間寸法
２６６  ＴＦＴ回路
２６８  選択ライン
２７０  選択ライン
２７２  データライン
２７４  データライン
２７６  サブピクセル
２７８  サブピクセル
２８０  サブピクセル
２８２  サブピクセル
２９０  第１の方向を示す矢印
２９４  ガター内の電気要素の寸法
２９６  コネクター寸法
【図１】
0005726864.tif 000002
【図２】
0005726864.tif 000003
【図３】
0005726864.tif 000004
【図４】
0005726864.tif 000005
【図５】
0005726864.tif 000006
【図６】
0005726864.tif 000007
【図７】
0005726864.tif 000008
【図８】
0005726864.tif 000009
【図９】
0005726864.tif 000010